(57)【要約】      （修正有）【課題】ペットシーツとトイレットペーパーを容易に取り出すことができるペットシーツ収納具を提供する。【解決手段】ペットシーツ収納具は、シート状のペットシーツＰを重ねて収納する容器本体１０と、ロール状の巻紙Ｔを容器本体に取り付けるための取付手段２０と、を備え、容器本体の上部には、ペットシーツを充填するための開口部が設けられ、容器本体の下部には、ペットシーツを取り出すための取出口１２が設けられている。【選択図】図１
0003204927.tif 000002
【実用新案登録請求の範囲】
【請求項１】
シート状のペットシーツを重ねて収納する容器本体と、
ロール状の巻紙を前記容器本体に取り付けるための取付手段と、を備え、
前記容器本体の上部には、前記ペットシーツを充填するための開口部が設けられ、
前記容器本体の下部には、前記ペットシーツを取り出すための取出口が設けられていることを特徴とする、ペットシーツ収納具。
【請求項２】
前記取付手段は、前記巻紙を回転自在に支持する回転軸体と、
この回転軸体を前記容器本体に接続する接続手段と、を有していることを特徴とする、請求項１に記載のペットシーツ収納具。
【請求項３】
前記回転軸体は、紐部材又は棒部材であることを特徴とする、請求項２に記載のペットシーツ収納具。
【請求項４】
前記容器本体は、正面部分及び背面部分と、左右一対の側面部分と、底面部分と、天面部分と、を有し、
前記背面部分には、前記容器本体を壁面に設置するための設置手段が設けられていることを特徴とする、請求項１〜３の何れかに記載のペットシーツ収納具。
【請求項５】
前記取出口は、前記正面部分の下部に設けられた正面開口部を有することを特徴とする、請求項４に記載のペットシーツ収納具。
【請求項６】
前記取出口は、前記底面部分の正面側に設けられた底面開口部を有することを特徴とする、請求項４又は請求項５に記載のペットシーツ収納具。
【請求項７】
前記取出口は、前記正面部分の下部に設けられた正面開口部と、前記底面部分の正面側に設けられた底面開口部と、を備え、
前記底面開口部は、両側の側面方向に延びる第１開口部と、この第１開口部に連結した正面方向に延びる第２開口部と、を有し、
前記正面開口部は、前記第２開口部に連結した第３開口部を有していることを特徴とする、請求項４に記載のペットシーツ収納具。
【考案の詳細な説明】
【技術分野】
【０００１】
本考案は、ペットシーツを収納するためのペットシーツ収納具に関するものである。
【背景技術】
【０００２】
ペットを室内で飼っている場合、ペットの排泄物の処理を快適に行うことは、飼い主にとって重要な関心事である。従来、ペットを室内で飼う場合には、ペット用トイレを室内に設置し、このペット用トイレにペットシーツを敷設している。このペットシーツは、高い吸水性・保水性を有する高分子吸水材等を備えているため、ペットの尿を吸収して快適に排泄物を処理することができる。
【０００３】
通常、このペットシーツは、一枚ごとに切り離され、何枚ものペットシーツが重ねられてビニールシート等で梱包されている。このため、ペットシーツを使用するときには、梱包状態のペットシーツから、ペットシーツを一枚ごとに取出すことが煩雑であるという問題があった。
【０００４】
上記問題を解決するため、ペットシーツを一枚毎に容器から取出すことができるペット用シーツ装置が提案されている（例えば、特許文献１参照）。
特許文献１には、巻回された帯状のペット用シート部材を一枚ずつ取り出すことができるペット用シート装置の技術が記載されている。
【先行技術文献】
【特許文献】
【０００５】
【特許文献１】特開２００５−６５５１７号公報
【考案の概要】
【考案が解決しようとする課題】
【０００６】
ところで、犬等のペットが排泄する際には、必ずしもペットシーツ上で用を足すとは限らない。すなわち、ペットシーツから尿がはみ出して、ペット用トイレ周辺を汚すことが日常茶飯事である。このような、はみ出した尿を処理するため、飼い主はトイレットペーパー等の使い捨ての清掃用具を多用している。そのため、ペット用トイレの周辺には、敷き替え用のペットシーツと共に、トイレットロール等の清掃用具を設置しておくことが望ましい。
【０００７】
しかしながら、特許文献１に記載のペット用シート装置は、ペットシーツを一枚ずつ容易に取り出すことが可能となっているものの、ペット用トイレの掃除に必要なトイレットペーパー等の清掃用具を容易に取り出すことができるものではなかった。
【０００８】
本考案は、上記実情に鑑みてなされた考案であり、ペットシーツ及びトイレットペーパーを容易に取り出すことができるペットシーツ収納具を提供することを課題とする。
【課題を解決するための手段】
【０００９】
上記課題を解決するため、本考案に係るペットシーツ収納具は、シート状のペットシーツを重ねて収納する容器本体と、ロール状の巻紙を前記容器本体に取り付けるための取付手段と、を備え、前記容器本体の上部には、前記ペットシーツを充填するための開口部が設けられ、前記容器本体の下部には、前記ペットシーツを取り出すための取出口が設けられていることを特徴とする。
【００１０】
このように、容器本体にロール状の巻紙を取り付け可能としたことにより、ペットシーツとトイレットロールをペット用トイレの周辺に配置することができる。これにより、飼い主はペットシーツ及びトイレットペーパーを容易に取り出すことができ、ペット用トイレ周辺の掃除とペットシーツの敷き替えを効率良く行うことができる。
【００１１】
本考案の好ましい形態では、前記取付手段は、前記巻紙を回転自在に支持する回転軸体と、この回転軸体を前記容器本体に接続する接続手段と、を有していることを特徴とする。
このように、取付手段はトイレットロールを回転自在に支持する回転軸体を有することにより、容易にトイレットペーパーを引き出すことができる。
【００１２】
本考案の好ましい形態では、前記回転軸体は、紐部材又は棒部材であることを特徴とする。
このように、回転軸体に紐部材又は棒部材を採用することにより、本考案に係るペットシーツ収納具を容易に製造することができる。
【００１３】
本考案の好ましい形態では、前記容器本体は、正面部分及び背面部分と、左右一対の側面部分と、底面部分と、天面部分と、を有し、前記背面部分には、前記容器本体を壁面に設置するための設置手段が設けられていることを特徴とする。
このように、背面部分に設置手段が設けられていることにより、飼い主の使い勝手の良い位置にスペースをとらずに設置することができる。
【００１４】
本考案の好ましい形態では、前記取出口は、前記正面部分の下部に設けられた正面開口部を有することを特徴とする。
【００１５】
本考案の好ましい形態では、前記取出口は、前記底面部分の正面側に設けられた底面開口部を有することを特徴とする。
【００１６】
本考案の好ましい形態では、前記取出口は、前記正面部分の下部に設けられた正面開口部と、前記底面部分の正面側に設けられた底面開口部と、を備え、前記底面開口部は、両側の側面方向に延びる第１開口部と、この第１開口部に連結した正面方向に延びる第２開口部と、を有し、前記正面開口部は、前記第２開口部に連結した第３開口部を有していることを特徴とする。
【考案の効果】
【００１７】
本考案によれば、ペットシーツ及びトイレットペーパーを容易に取り出すことができるペットシーツ収納具を提供することができる。
【図面の簡単な説明】
【００１８】
【図１】本考案の実施形態１に係るペットシーツ収納具を示す斜視図である。
【図２】本考案の実施形態１に係るペットシーツ収納具にペットシーツを収納する様子を示す斜視図である。
【図３】本考案の実施形態１に係るペットシーツ収納具を示す外観図である。
【図４】本考案の実施形態２に係るペットシーツ収納具の取出口を示す図である。
【図５】本考案の実施形態２に係るペットシーツ収納具の取出口を示す図である。
【図６】本考案の実施形態２に係るペットシーツ収納具を示す斜視図である。
【図７】本考案の実施形態３に係るペットシーツ収納具の取出口を示す図である。
【図８】本考案の実施形態４に係るペットシーツ収納具の取出口を示す図である。
【考案を実施するための形態】
【００１９】
以下、本考案を図面に示した好ましい実施形態について図１〜図８を参照して詳細に説明する。本考案の技術的範囲は、添付図面に示した実施形態に限定されるものではなく、実用新案登録請求の範囲に記載された範囲内において、適宜変更が可能である。
【００２０】
＜実施形態１＞
本考案の実施形態１に係るペットシーツ収納具は、図１〜図３に示すように、シート状のペットシーツＰを重ねて収納する容器本体１０と、トイレットロールＴ（ロール状の巻紙の一例）を容器本体１０に取り付けるための取付手段２０と、を備えている。
【００２１】
容器本体１０は、正面部分１０ａ及び背面部分１０ｂと、左側面部分１０ｃと、右側面部分１０ｄと、底面部分１０ｅと、天面部分１０ｆと、を有する箱状に形成されている。そして、この容器本体１０の上部には、ペットシーツＰを充填するための開口部１１が設けられ、容器本体１０の下部には、ペットシーツＰを取り出すための取出口１２が設けられている。
【００２２】
この容器本体１０は、市販されている厚さ１ｃｍ程度のペットシーツＰが２０枚程重ねて収納できるよう、例えば高さ２３ｃｍ、横幅２４ｃｍ、奥行１７ｃｍの大きさに設定されている。この高さは、収納したい量に応じて自由に設定することができ、例えば、４０〜５０枚収納したい場合には、高さ４０ｃｍに設定すれば良い。
【００２３】
また、容器本体１０の横幅及び奥行は、収納するペットシーツＰの折り目の辺が取出口１２側にくる大きさに設定されていることが望ましい。例えば、短辺に折り目の辺があるペットシーツＰを収納する場合には、横幅１７ｃｍ、奥行２４ｃｍの容器本体１０を採用して、取出口１２から短辺を露出させる（図６参照）。このように、ペットシーツＰの折り目の辺がくることにより、取り出したい枚数を正確に引き出すことができる。
なお、この容器本体１０の材料としては、布地やビニール等の可撓性を有した材料で形成することが望ましいが、プラスチックや木材等の板材を使用することも可能である。
【００２４】
開口部１１は、ファスナ１１ａ（開口手段の一例）を有しており、容器本体１０の上部を開口して、容器本体１０の内部にペットシーツＰを収納できるよう構成されている。このファスナ１１ａは、例えば、天面部分１０ｆの縁部に沿って設けられており、ファスナ１１ａを開くことでペットシーツＰを充填している（図２参照）。また、他の開口手段としては、ボタンやフック等を例示することができる。
このように天面部分１０ｆが開閉可能に構成されているため、通常時には天面部分１０ｆを閉めて、ペットシーツＰに埃等が付くことを抑制することができる。
【００２５】
取出口１２は、容器本体１０の正面部分１０ａの下端に設けられており、開口部１１から収納したペットシーツＰを取り出せるように構成されている。この取出口１２は、高さ１〜５ｃｍ、横幅１０〜２０ｃｍの長方形状に形成されている。また、この取出口１２は、必ずしも正面部分１０ａに設ける必要は無く、例えば、左側面部分１０ｃや右側面部分１０ｄに設けても良い。
【００２６】
また、容器本体１０の背面部分１０ｂには、容器本体１０を壁面に設置するための壁掛け金具１３（設置手段の一例）が設けられている。図１では、背面部分１０ｂの上辺に、壁掛け金具１３を２つ設けた例を示したが、背面部分１０ｂの下辺や側辺に設けても良く、壁掛け金具１３の数に制限はない。加えて、容器本体１０の背面部分１０ｂには、吊紐１５を設けても良い。
【００２７】
さらに、容器本体１０の下部には、取付手段２０を取付けるための接続金具１４が設けられている。この接続金具１４は、取付手段２０の取付金具２２が係合可能なよう、例えば環状に形成されており、左側面部分１０ｃと右側面部分１０ｄにそれぞれ設けられている。
また、図示はしていないが、側面部分にポケットを設け、ビニールや洗剤など掃除に関連するものを一つに収納できるように構成しても良い。
【００２８】
取付手段２０は、トイレットロールＴを回転自在に支持する紐部材２１（回転軸体の一例）と、この紐部材２１を容器本体１０の接続金具１４に接続する取付金具２２（接続手段の一例）と、を有している。
【００２９】
紐部材２１は、トイレットロールＴの中心軸上に設けられた挿通口Ｔ１に挿通されており、通常のトイレットペーパーホルダーと同じように、紙の一端を引っ張ることでトイレットロールＴが回転して紙が引き出される。また、この紐部材２１の代わりに、棒部材を採用しても良い。
【００３０】
取付金具２２は、図１〜３に示すように、紐部材２１の両端に設けられ、容器本体１０の接続金具１４に取り付けられている。この取付金具２２は、トイレットロールＴを交換可能なよう、少なくとも一方は着脱可能に構成されている。
【００３１】
本考案は、ペットシーツＰを重ねて収納する容器本体１０と、トイレットロールＴを容器本体１０に取り付けるための取付手段２０と、を備えることにより、ペットシーツＰとトイレットペーパーを容易に取り出すことができる。すなわち、ペットの飼い主は、本考案に係るペットシーツ収納具を、ペット用トイレ周辺の壁等の好ましい位置に取り付けておくだけで、敷き替え用のペットシーツＰと清掃用具のトイレットペーパーを容易に取り出すことができる。
【００３２】
また本考案は、この容器本体１０の上部には、ペットシーツＰを充填するための開口部１１が設けられ、容器本体１０の下部には、ペットシーツＰを取り出すための取出口１２が設けられていることにより、過去に収納した古いペットシーツＰから使用することができる。
また本考案は、紐部材２１を箱状の容器本体１０に取り付けるという、極めて簡易な構成であるため、容易に製造することができる。
【００３３】
また、本実施形態においては、開口部が正面部分１０ａに設けられていることにより、ペットシーツＰを引き出す枚数を調節することができる。すなわち、ペットシーツＰの側面側が露出しているため、ペットシーツＰの枚数を数えることができ、欲しい枚数を簡単に引き出すことができる。
【００３４】
＜実施形態２＞
以下、本考案の実施形態２に係るペットシーツ収納具について、図４〜図６を参照して詳細に説明する。この実施形態２に係るペットシーツ収納具は、先の実施形態１に係るペットシーツ収納具と異なる形状の取出口１２を備えていることを特徴とする。なお、同実施形態において、先の実施形態と基本的に同一の構成要素については、同一の符号を付してその説明を簡略化する。
【００３５】
図４及び図５は、実施形態２の取出口１２の一例を示す容器本体１０の斜視図であり、図６は、実施形態２に係るペットシーツ収納具の斜視図である。また、この図６の容器本体１０は、横幅が奥行よりも短い例を示している。
【００３６】
本考案の実施形態２に係るペットシーツ収納具の取出口１２は、容器本体１０の正面部分１０ａの下部に設けられた正面開口部１２ａと、容器本体１０の底面部分１０ｅの正面側に設けられた底面開口部１２ｂと、を有している。
【００３７】
正面開口部１２ａは、高さ１〜５ｃｍ、横幅１０〜２０ｃｍに設定されており、図４に示すように四角形状に形成してもよいし、図５に示すように三角形状に形成してもよい。
底面開口部１２ｂは、横幅１０〜２０ｃｍ、奥行１〜１０ｃｍに設定されており、図４及び図５に示すように、正面開口部１２ａと連結して設けられている。
【００３８】
本実施形態においては、正面開口部１２ａと底面開口部１２ｂが設けられていることにより、ペットシーツＰを容易に掴んで引きだすことができる。すなわち、ペットシーツＰの上下を指で挟むことができるため、簡単に引きだすことができる。
【００３９】
＜実施形態３＞
以下、本考案の実施形態３に係るペットシーツ収納具について、図７を参照して詳細に説明する。この実施形態３に係るペットシーツ収納具は、底面開口部１２ｂのみを備えていることを特徴とする。なお、同実施形態において、先の実施形態と基本的に同一の構成要素については、同一の符号を付してその説明を簡略化する。
【００４０】
本考案の実施形態３に係るペットシーツ収納具の取出口１２は、容器本体１０の底面部分１０ｅの正面側に設けられた底面開口部１２ｂを有している。この底面開口部１２ｂは、横幅１０〜２０ｃｍ、奥行３〜１０ｃｍに設定されており、底面部分１０ｅからペットシーツＰを引き出せるよう構成されている。
【００４１】
本実施形態においては、底面開口部１２ｂのみを設けたことにより、容器本体１０の正面側に開口が形成されないためペットシーツＰが露出しない。そのため、正面部分１０ａをスッキリ見せることができ、ペットシーツ収納具のデザイン性を高めることができる。
【００４２】
＜実施形態４＞
以下、本考案の実施形態４に係るペットシーツ収納具について、図８を参照して詳細に説明する。この実施形態３に係るペットシーツ収納具は、先の実施形態２に係るペットシーツ収納具とは異なる形状の正面開口部１２ａ及び底面開口部１２ｂを備えることを特徴とする。なお、同実施形態において、先の実施形態と基本的に同一の構成要素については、同一の符号を付してその説明を簡略化する。
【００４３】
本考案の実施形態４に係るペットシーツ収納具は、先の実施形態２に係るペットシーツ収納具と同様に、正面部分１０ａの下部に設けられた正面開口部１２ａと、底面部分１０ｅの正面側に設けられた底面開口部１２ｂと、を備えている。
【００４４】
底面開口部１２ｂは、両側の側面方向に延びる第１開口部１２ｃと、この第１開口部１２ｃに連結した正面方向に延びる第２開口部１２ｄと、を有し、下方向から観察した底面視において逆Ｔ字状の開口を形成している。
【００４５】
第１開口部１２ｃは、５〜１０ｃｍ程度の長さを有しており、底面部分１０ｅの中心位置よりも正面側に配置されている。
第２開口部１２ｄは、第１開口部１２ｃの中心位置から正面方向に向かって延びるように形成されている。
また、この第１開口部と第２開口部は、大人の指が容易に入る程度の幅を有しており、１．５〜３．０ｃｍの幅に設定されている。
【００４６】
正面開口部１２ａは、第２開口部１２ｄに連結する第３開口部１２ｅを有している。この第３開口部１２ｅは、第２開口部１２ｄの延長上に設けられており、第１開口部と第２開口部と同様に、１．５〜３．０ｃｍの幅に設定されている。また、この第３開口部１２ｅの高さは、１枚〜数枚のペットシーツＰが掴めるよう、１〜５ｃｍの高さに設定されている。
【符号の説明】
【００４７】
１０  容器本体
１１  開口部
１２  取出口
１３  壁掛け金具
１４  接続金具
１５  吊紐
２０  取付手段
２１  紐部材
２２  接続手段
Ｐ  ペットシーツ
Ｔ  トイレットロール
【図１】
0003204927.tif 000003
【図２】
0003204927.tif 000004
【図３】
0003204927.tif 000005
【図４】
0003204927.tif 000006
【図５】
0003204927.tif 000007
【図６】
0003204927.tif 000008
【図７】
0003204927.tif 000009
【図８】
0003204927.tif 000010